(57)【要約】      （修正有）【課題】カメラのグリップ部の把持性を維持しつつ、操作性向上を可能にした撮像装置を提供する。【解決手段】撮影前状態と、撮影前状態から撮影準備状態へと移行させるための操作部６１と、撮影者が把持するグリップ部９０と、タッチ検出部と、通常状態から、形状を変化させることによって撮影者に操作部３０６として検知可能にする触感発生部と、を備え、タッチ検出部及び触感発生部はグリップ部９０を覆う位置に配置され、撮影前状態と撮影準備状態では、触感発生部上の操作部３０６の形状を変化させることを特徴とする。【選択図】図１（ａ）
2019074578.tif 000002
【特許請求の範囲】
【請求項１】
撮影前状態と、前記撮影前状態から撮影準備状態へと移行させるための操作部（６１）と、
撮影者が把持するグリップ部（９０）と、
タッチ検出部（３０３）と、
通常状態から、形状を変化させることによって撮影者に操作部（３０６）として検知可能にする触感発生部（３００）と、
を備え、前記タッチ検出部（３０３）及び前記触感発生部（３００）は前記グリップ部（９０）を覆う位置に配置され、前記撮影前状態と前記撮影準備状態では、前記触感発生部（３００）上の前記操作部（３０６）の形状を変化させることを特徴とする撮像装置（１００）。
【請求項２】
前記触感発生部（３００）の作動によって触感が現れる前記操作部（３０６、４０６）の発生位置及び発生高さは、任意に変更可能であることを特徴とする請求項１に記載の撮像装置（１００）。
【請求項３】
前記触感発生部（３００）の作動によって触感が現れる前記操作部（３０６、４０６）には、任意の機能割り当てが可能であることを特徴とする請求項１に記載の撮像装置（１００）。
【請求項４】
撮影前状態と、前記撮影前状態から撮影準備状態へと移行させるための操作部（６１）と、
撮影者が把持するグリップ部（９０）と、
タッチ検出部（３０３）と、
通常状態から、形状を変化させることによって撮影者に操作釦（３０６）として検知可能にする触感発生部（３００）と、
開口部（９５ａ）を設けたグリップ部材（９５）と、
を備え、前記タッチ検出部（３０３）及び前記触感発生部（３００）は前記グリップ部（９０）を覆う位置に配置され、前記触感発生部（３００）はグリップ部材（９５）で覆われていることを特徴とする撮像装置（１００）。
【請求項５】
前記触感発生部（３００）によって発生される前記操作部（３０６）の発生位置と前記開口部（９５ａ）は同位置にあることを特徴とする請求項５に記載の撮像装置（１００）。
【発明の詳細な説明】
【技術分野】
【０００１】
本発明は、撮像装置に関し、特に撮影者が把持して使用する、グリップ部を持つ撮像装置に関する。
【背景技術】
【０００２】
近年、一眼レフカメラ等の撮像装置において、機能の多様性、操作性の向上が求められている。それに伴い操作釦の増加、さらには操作釦の押下だけではなく、振動などを使って触覚的に撮影情報を伝えるものもある。
【０００３】
特に一眼レフカメラにおいては、撮影者が右手でカメラのグリップ部を把持し、左手でレンズを支える撮影体制が一般的であるため、撮影者は右手の親指と人差し指で撮影に纏わる様々な操作を行う。さらに、カメラ前面やグリップ部周辺に釦類を配置し、カメラのグリップ部を把持しながら、右手の中指や薬指を用い釦操作や撮影者への情報通知を可能としたカメラもある。
【０００４】
特許文献１には、カメラのグリップ部に、撮影者への刺激発生デバイスを備え、適切な撮影方向を通知する技術が開示されている。
【０００５】
また、カメラの小型化や操作性の向上の観点から、釦類を排除し、カメラ内部に振動子を配置し、振動を起こすことで触覚的に撮影情報を撮影者に伝えることを可能としたカメラもある。
【０００６】
特許文献２には、カメラの４隅に振動子を配置し、撮影時に振動を起こすことで撮影者に最適な構図をナビゲートすることが可能な撮像装置が開示されている。
【先行技術文献】
【特許文献】
【０００７】
【特許文献１】特開２０１４−１６４１７２号公報
【特許文献２】特開２０１３−９１０６号公報
【発明の概要】
【発明が解決しようとする課題】
【０００８】
上記の特許文献１に開示された従来技術では、撮影者がカメラのグリップ部を把持しながら、カメラボディに固定配置された刺激発生デバイスに触れる必要がある。そのため、手の大きい撮影者や指の長い撮影者にとって上記デバイスは常に指に当たる状態となり、邪魔となる。一方、手の小さい撮影者や指の短い撮影者にとっては上記デバイスに指が届き難く、撮影者の手の大きさにより、把持性、操作性を損なってしまうことがある。
【０００９】
また、特許文献２においても、振動子が固定配置されているため、上記のように撮影者の手の大きさによっては把持性、操作性を損なってしまう。また、構図ナビゲート以外の触感通知が不可能である。
【００１０】
そこで、本発明の目的は、カメラのグリップ部の把持性を維持しつつ、操作性向上を可能にした撮像装置を提供することにある。
【課題を解決するための手段】
【００１１】
上記の目的を達成するために、本発明に係る撮像装置は、
撮影前状態と、前記撮影前状態から撮影準備状態へと移行させるための操作部（６１）と、
撮影者が把持するグリップ部（９０）と、
タッチ検出部（３０３）と、
通常状態から、形状を変化させることによって撮影者に操作部（３０６）として検知可能にする触感発生部（３００）とを備え、
前記タッチ検出部（３０３）及び前記触感発生部（３００）は前記グリップ部（９０）を覆う位置に配置され、
前記撮影前状態と前記撮影準備状態では、前記触感発生部（３００）上の前記操作部（３０６）の形状を変化させることを特徴とする。
【発明の効果】
【００１２】
本発明によれば、カメラのグリップ部の把持性を維持しつつ、操作性向上を可能にした撮像装置を提供することができる。
【図面の簡単な説明】
【００１３】
【図１（ａ）】本実施形態の撮像装置１００の外観斜視図である。
【図１（ｂ）】本実施形態の撮像装置１００の外観斜視図である。
【図２】本実施形態の撮像装置１００を用いた撮影体制を示した図である。
【図３】本実施形態の撮像装置１００の構成を示すブロック図である。
【図４（ａ）】本実施形態の触感発生部３００、４００の断面を示した図である。
【図４（ｂ）】本実施形態の触感発生部３００、４００の断面を示した図である。
【図５（ａ）】実施形態１の撮像装置１００のグリップ部９０の断面を示した図である。
【図５（ｂ）】実施形態１の撮像装置１００のグリップ部９０の断面を示した図である。
【図６】本実施形態の処理を示したフローチャートである。
【図７】実施形態２の撮像装置１００のグリップ部９０の断面を示した図である。
【発明を実施するための形態】
【００１４】
以下、本発明を実施するための形態について、図面を参照しながら説明する。
【実施例１】
【００１５】
図１（ａ）、図１（ｂ）に、本発明の撮像装置の外観図を示す。図１（ａ）は撮像装置１００の前面斜視図であり、図１（ｂ）は撮像装置１００の背面斜視図である。
【００１６】
表示部４０は撮影画像や各種情報を表示可能である。また撮影者は表示部４０を見ながら、後述する触感発生部３００ないしは４００上の凸釦部３０６、４０６の位置、タイミング設定を行う。
【００１７】
レリーズ釦６１は撮影指示を行うための操作部である。
【００１８】
モード切り替えダイヤル６０は、動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、プログラムＡＥモード、カスタムモード等がある。
【００１９】
メイン電子ダイヤル７１は回転操作部材であり、このメイン電子ダイヤル７１を回すことで、モード切り替えダイヤル６０にて設定されたモードに応じてシャッター速度や絞りなどの設定値の変更等を行う。
【００２０】
電源スイッチ７２は撮像装置１００の電源のＯＮ及びＯＦＦを切り替える操作部材である。
【００２１】
十字キー７４は、上、下、左、右部分をそれぞれ押し込み可能な十字キーである。ＳＥＴ釦７５は押し釦であり、主に選択項目の決定などに用いられる。
【００２２】
拡大釦７７は、撮影モードのＬＶ表示において拡大モードのＯＮ、ＯＦＦ、及び拡大モード中の拡大率の変更を行うための操作釦である。再生モードにおいては再生画像を拡大し、拡大率を増加させるための拡大釦として機能する。
【００２３】
再生釦７８は、撮影モードと再生モードとを切り替える操作釦である。撮影モード中に再生釦７８を押下することで再生モードに移行し、不図示の記録媒体２００に記録された画像のうち最新の画像を表示部４０に表示させることが可能である。
【００２４】
クイックリターンミラー１２（以下、ミラー１２）は、不図示のシステム制御部８０の指示により、アクチュエータを動作させることでアップダウンされる。
【００２５】
ファインダー１６は、図１では不図示のペンタプリズム１４を介してフォーカシングスクリーン１３を観察することで、レンズユニット１５０を通して得た被写体像の焦点や構図の確認を行うための光学ファインダーである。
【００２６】
グリップ部９０は、撮影者が撮像装置１００を構えた際に右手で握りやすい形状とした把持部である。
【００２７】
撮影者は撮像装置１００を用いて撮影を行う際、図２に示すように右手でグリップ部９０を把持し、左手でレンズユニット１５０を把持する。カメラ天面に配置されたレリーズ釦６１やメイン電子ダイヤル７１は右手の人差し指で、カメラ背面に配置された十字キー７４やＳＥＴ釦７５等は右手の親指で操作するのが一般的である。さらに撮影時にはファインダ部１６を覗き込み、所望の構図、ピント位置などを決定する。
【００２８】
図３は、本実施形態による撮像装置１００の構成例を示すブロック図である。
【００２９】
図３において、レンズユニット１５０は、交換可能な撮影レンズを搭載するレンズユニットである。
【００３０】
レンズ１０３は通常、複数枚のレンズから構成されるが、ここでは簡略して一枚のレンズのみで示している。
【００３１】
レンズ側通信端子６はレンズユニット１５０が撮像装置１００側と通信を行うための通信端子であり、カメラ側通信端子１０は撮像装置１００がレンズユニット１５０側と通信を行うための通信端子である。
【００３２】
レンズユニット１５０は、この通信端子６、１０を介してシステム制御部８０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００３３】
ＡＥセンサー１７は、レンズユニット１５０を通した被写体の輝度を測光する。
【００３４】
焦点検出部１１は、システム制御部８０にデフォーカス量情報を出力する。システム制御部８０はそれに基づいてレンズユニット１５０を制御し、位相差ＡＦを行う。
【００３５】
ミラー１２は、露光、ライブビュー撮影、動画撮影の際にシステム制御部８０から指示されて、不図示のアクチュエータによりアップダウンされる。ミラー１２は、レンズ１０３から入射した光束をファインダー１６側と撮像部２２側とに切り替えるためのミラーである。ミラー１２は通常時はファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００３６】
撮影者は、ペンタプリズム１４とファインダー１６を介して、フォーカシングスクリーン１３を観察することで、レンズユニット１５０を通して得た被写体の光学像の焦点や構図の確認が可能となる。
【００３７】
ファインダー内表示部２６は、フォーカシングスクリーン１３へＬＥＤ光を投光する装置であり、観察される被写体像に測距点や測距エリアなどの情報をファインダー１６内に表示する（スーパーインポーズする）ために用いられる。
【００３８】
アイピースシャッター２１は、ファインダー１６を用いず撮像する際に閉じることで、ファインダー１６からの入射光を防ぐためのシャッターである。
【００３９】
シャッター１０１は、システム制御部８０の制御で撮像部２２の露光時間を自由に制御できるフォーカルプレーンシャッターである。
【００４０】
撮像部２２は光学像を電気信号に変換するＣＣＤやＣＭＯＳ素子等で構成される撮像素子である。
【００４１】
Ａ／Ｄ変換器２３は、アナログ信号をデジタル信号に変換する。Ａ／Ｄ変換器２３は、撮像部２２から出力されるアナログ信号をデジタル信号に変換するために用いられる。
【００４２】
画像処理部２５は、Ａ／Ｄ変換器２３からのデータ、またはメモリ制御部１５からのデータに対し所定の画素補間、縮小といったリサイズ処理や色変換処理を行う。また、画像処理部２５では、撮像した画像データを用いて所定の演算処理が行われ、得られた演算結果に基づいてシステム制御部８０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２５ではさらに、撮像した画像データを用いて所定の演算処理を行い、得られた演算結果に基づいてＴＴＬ方式のＡＷＢ（オートホワイトバランス）処理も行っている。
【００４３】
Ａ／Ｄ変換器２３からの出力データは、画像処理部２５及びメモリ制御部１５を介して、或いは、メモリ制御部１５を介してメモリ３２に直接書き込まれる。
【００４４】
メモリ３２は、撮像部２２によって得られＡ／Ｄ変換器２３によりデジタルデータに変換された画像データや、表示部４０に表示するための画像データを格納する。メモリ３２は、所定枚数の静止画像や所定時間の動画像及び音声を格納するのに十分な記憶容量を備えている。また、メモリ３２は画像表示用のメモリ（ビデオメモリ）を兼ねている。
【００４５】
Ｄ／Ａ変換器２４は、メモリ３２に格納されている画像表示用のデータをアナログ信号に変換して表示部４０に供給する。こうして、メモリ３２に書き込まれた表示用の画像データはＤ／Ａ変換器２４を介して表示部４０により表示される。
【００４６】
表示部４０は、Ｄ／Ａ変換器２４からのアナログ信号に応じた表示を行う。Ａ／Ｄ変換器２３によって一度Ａ／Ｄ変換されメモリ３２に蓄積されたデジタル信号をＤ／Ａ変換器２４においてアナログ変換し、表示部４０に逐次転送して表示することで、電子ビューファインダーとして機能し、スルー画像表示（ライブビュー表示）を行える。
【００４７】
不揮発性メモリ５６は、電気的に消去・記録可能なメモリであり、例えばＥＥＰＲＯＭ等が用いられる。不揮発性メモリ５６には、システム制御部８０の動作用の定数、プログラム等が記憶される。
【００４８】
システム制御部８０は、撮像装置１００全体を制御する。前述した不揮発性メモリ５６に記録されたプログラムを実行することで、各処理を実現する。５２はシステムメモリであり、ＲＡＭが用いられる。システムメモリ５２には、システム制御部８０の動作用の定数、変数、不揮発性メモリ５６から読み出したプログラム等を展開する。また、システム制御部８０はメモリ３２、Ｄ／Ａ変換器２４、表示部４０等を制御することにより表示制御も行う。
【００４９】
モード切り替えダイヤル６０、第１レリーズスイッチ６２、第２レリーズスイッチ６４、操作部７０はシステム制御部８０に各種の動作指示を入力するための操作手段である。
【００５０】
モード切り替えダイヤル６０は、システム制御部８０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、プログラムＡＥモード、カスタムモード等がある。モード切り替えダイヤル６０で、静止画撮影モードに含まれるこれらのモードのいずれかに直接切り替えられる。あるいは、モード切り替えダイヤル６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００５１】
第１レリーズスイッチ６２は、撮像装置１００に設けられたレリーズ釦６１の操作途中、いわゆる半押し（撮影準備指示）でＯＮとなり第１レリーズスイッチ信号ＳＷ１を発生する。第１レリーズスイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００５２】
第２レリーズスイッチ６４は、レリーズ釦６１の操作完了、いわゆる全押し（撮影指示）でＯＮとなり、第２レリーズスイッチ信号ＳＷ２を発生する。システム制御部８０は、第２レリーズスイッチ信号ＳＷ２により、撮像部２２からの信号読み出しから記録媒体２００に画像データを書き込むまでの一連の撮影処理の動作を開始する。
【００５３】
操作部７０の各操作部材は、表示部４０に表示される種々の機能アイコンを選択操作することなどにより、場面ごとに適宜機能が割り当てられ、各種機能釦として作用する。機能釦としては、例えば終了釦、戻る釦、画像送り釦、ジャンプ釦、絞込み釦、属性変更釦等がある。例えば、メニュー釦が押されると各種の設定可能なメニュー画面が表示部４０に表示される。利用者は、表示部４０に表示されたメニュー画面と、上下左右の４方向釦やＳＥＴ釦とを用いて直感的に各種設定を行うことができる。操作部７０は、撮影者からの操作を受け付ける入力部としての各種操作部材である。操作部７０には、少なくともレリーズ釦６１、メイン電子ダイヤル７１、電源スイッチ７２、十字キー７４、ＳＥＴ釦７５、ＬＶ釦７６、拡大釦７７、再生釦７８が含まれる。
【００５４】
電源制御部８５は、電池検出回路、ＤＣ−ＤＣコンバータ、通電するブロックを切り替えるスイッチ回路等により構成され、電池の装着の有無、電池の種類、電池残量の検出を行う。また、電源制御部８５は、その検出結果及びシステム制御部８０の指示に基づいてＤＣ−ＤＣコンバータを制御し、必要な電圧を必要な期間、記録媒体２００を含む各部へ供給する。
【００５５】
記録媒体Ｉ／Ｆ２０は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００５６】
接眼検出部１８は撮影者がファインダー１６を覗いていることを検出するためのセンサーであり、ファインダー１６付近に設定された赤外発光装置及びその反射光の受光装置で構成されている。
【００５７】
図１において、グリップ部９０には、後述するタッチ検出部３０３ないし４０３と、触感発生部３００ないし４００が配置されている。
【００５８】
タッチ検出部３０３ないし４０３は、一般的にタッチパネルに使用される静電容量方式や抵抗膜方式による検出デバイスで、撮影者が触れた位置と、押下したかどうかを検出するデバイスである。触感発生部には、電気信号伸縮タイプ３００、流体ポンプ駆動タイプ４００の２種類があるが、それぞれの原理を以下に示す。
【００５９】
図４（ａ）は、電気信号収縮による触感発生部３００の断面図である。
【００６０】
３０１は表面フィルム、３０２は垂直方向に電解伸縮する素材で構成されたアクチュエータ、３０３はタッチ検出部、３０５は駆動回路である。まず、駆動回路３０５によって、タッチ検出部３０３とアクチュエータ３０２を起動、対応させる。その後、駆動回路３０５からアクチュエータ３０２の所定の電極３０２ａ〜３０２ｌに電気信号を送ることでそれぞれのアクチュエータを垂直方向に膨張させ、凸部３０６を形成する。また、駆動電圧を変化させることにより、アクチュエータ３０２の膨張量を制御し、凸部３０６の高さを変化させることが可能である。
【００６１】
撮影者が凸部３０６を押下すると、凸部３０６の押し込みによる電極３０２ａ〜３０２ｌの逆起電力を駆動回路３０５が検出し、押下されたか否かを検出する。押下された位置は、タッチ検出部３０３によって検知される。
【００６２】
図４（ｂ）は、流体ポンプ駆動による触感発生部４００の断面図である。
【００６３】
４０１は表面フィルム、４０２は流体室、４０３はタッチ検出部、４０４は流路、４０５は流体駆動ポンプである。流体駆動ポンプ４０５から空気や粘度の低い液体などの流体が各流路４０４ａ〜４０４ｅを伝って流体室４０２に送られる。流体によって膨張された流体室４０２によって、凸部４０６が形成される。また、流体室４０２に流入させる流量によって凸部４０６の高さを変化させることが可能である。
【００６４】
撮影者が凸部４０６を押下すると、流体の逆流、またタッチ検出部４０３により、押下されたか否か、及び押下された位置を検出する。
【００６５】
図４（ａ）、図４（ｂ）の触感発生部３００ないしは４００により、図１に示すように、撮影者は任意の場所に、任意のタイミングでグリップ部９０上に凸釦部３０６ないしは４０６を設置することが可能となる。さらに凸釦部３０６、４０６を指で押下することで操作釦としても使用することができる。
【００６６】
図５（ａ）は、図１におけるグリップ部９０のＡ−Ａ断面図である。
【００６７】
グリップ部９０には、外装５０の曲面に沿って上記の電気信号収縮タイプ３００、流体ポンプ駆動タイプ４００いずれかの触感発生部が備えられている。撮影者は手の大きさ、指の長さに合わせて触感発生部上の凸釦部３０６、４０６の位置を決め、操作釦として使用することが可能である。また、凸釦部３０６、４０６の機能も任意の機能を割り当てることが可能である。
【００６８】
ところで、撮影の際には撮影者はグリップ部９０をしっかりと把持しなければ、手振れを起こしてしまう。グリップ部９０に配置された触感発生部による凸釦部３０６、４０６は、撮影前状態では撮影の諸設定を行うのに役立つが、撮影時にもグリップ部９０上に押下可能な凸釦部３０６、４０６があると、撮影者の把持が不安定になり、撮影に失敗する恐れがある。そこで触感発生部３００ないし４００は、前述のレリーズ釦６１の押下による第１レリーズスイッチ（ＳＷ１）の検出で、凸釦部３０６、４０６をキャンセルし、フラット形状に戻る。
【００６９】
さらに上記の触感発生部を使用して、図５（ｂ）のように、撮影者が撮像装置１００を把持する際に触れる部分に滑り止めパターン３０７を発生させることも可能である。これにより、撮影時の把持性が増し、撮影失敗を減少することが可能となる。上記撮影時の触感発生部３００、４００の挙動を、図６のフローチャートを用いて示す。
【００７０】
ステップＳ５０１において、撮影者がグリップ部９０に設けられた凸釦部３０６、４０６を使用して撮影設定を行った後、ステップＳ５０２でＳＷ１を検出する。
【００７１】
次にステップＳ５０３で触感発生部３００ないしは４００に凸釦部３０６、４０６を設定しているか否かの判定が行われる。凸釦部３０６、４０６を設定している場合はステップＳ５０４、Ｓ５０５に進み、凸釦部３０６、４０６、及びタッチ検出部３０３、４０３の機能がキャンセルされる。ステップＳ５０５の後、またはステップＳ５０３で凸釦部設定無しと判定された後、ステップＳ５０６に進み、グリップ９０上に滑り止めパターンを発生させるか否かの判定が行われる。滑り止めパターンを発生する設定の場合はステップＳ５０７に進み、滑り止めパターンを発生させる。ステップＳ５０７の後、またはステップＳ５０６で滑り止めパターンの発生無しと判定された場合、ステップＳ５０８に進み、ＳＷ２の押下を検出する。ステップＳ５０９、Ｓ５１０では撮影動作、記録メディアへの保存が行われ、ステップＳ５１１でグリップ部９０への凸釦部設定を続行するか否かの判定を行う。
【００７２】
ステップＳ５１１で凸釦部設定の続行が選択されると、ステップＳ５０１に戻り、再び凸釦部３０６、４０６が発生する。ステップＳ５１１で凸釦部設定の続行がキャンセルされると、上記凸釦部設定のステップＳ５０１からＳ５１１が終了する。
【００７３】
本実施形態で述べた触感発生部３００、４００を使用することにより、撮影者はグリップ９０上の任意の位置に凸釦部３０６、４０６を配置し、その凸釦部３０６、４０６に任意の釦機能を割り当てることができるため、カメラ１００の操作性を向上することができる。凸釦部３０６、４０６はＳＷ１が押されるとキャンセルされ、フラット形状に戻る。
【００７４】
さらにグリップ９０上に滑り止めパターン３０７を発生させることもできるため、撮影者はグリップ部９０をよりしっかりと把持できる。これにより、撮影時に手振れによる失敗を減少させることが可能である。
【実施例２】
【００７５】
図７は、本発明の実施形態２における、撮像装置１００のグリップ部９０のＡ―Ａ断面図である。
【００７６】
実施形態２においては、図７に示すように、外装５０の曲面に沿って上記の電気信号収縮タイプ３００、流体ポンプ駆動タイプ４００いずれかの触感発生部が備えられている。さらに触感発生部３００ないし４００はグリップラバー９５で覆われた構成となっている。その他の構成は実施形態１と同様である。
【００７７】
グリップラバー９５は、エラストマ等の弾性を持った樹脂でできており、複数の開口部９５ａが空いている。触感発生部３００、４００が駆動し発生する凸釦部は、グリップラバー９５の開口部９５ａと同位置に発生する。また、実施形態１同様に、撮影者は凸釦部に任意の機能を割り当てることが可能である。
【００７８】
触感発生部３００、４００それぞれの凸釦部は前述の通り、凸量を変えることができるため、図７のように駆動前の初期位置３０６ａ、４０６ａ、グリップラバー９５と同一面となる高さ３０６ｂ、４０６ｂ、グリップラバー９５よりも凸となる高さ３０６ｃ、４０６ｃに設定することが可能である。それぞれの凸釦部３０６ｂ、３０６ｃ、４０６ｂ、４０６ｃを押下する際、グリップラバー９５の表面位置よりも押し込むことができるため、撮影者により押下した感触を伝えることができる。
【００７９】
本発明の実施形態２においては、グリップラバー９５の開口部９５ａと、各凸釦の位置を同一にする必要があるため、実施形態１と異なり各凸釦の位置は限定されるが、触感発生部３００、４００を覆うグリップラバー９５の材質や色、質感を自由に変えることができる。そのため、グリップ部のデザイン性、把持性をチューニングすることが可能である。
【００８０】
触感発生部３００、４００は、実施形態１同様にレリーズ釦６１の押下による第１レリーズスイッチ（ＳＷ１）の検出で、凸釦部３０６ｂ、３０６ｃ、４０６ｂ、４０６ｃをキャンセルし、フラット形状に戻る。実施形態１同様に撮影者はグリップ部９０をよりしっかりと把持できるため、手振れによる撮影失敗が少なくなる。
【００８１】
以上、本発明の好ましい実施形態について説明したが、本発明はこれらの実施形態に限定されず、その要旨の範囲内で種々の変形及び変更が可能である。
【００８２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８３】
４０  表示パネル、５０  外装、６１  レリーズ釦、６２  第１レリーズスイッチ、
６４  第２レリーズスイッチ、９０  グリップ部、９５  グリップラバー、
９５ａ  グリップラバー開口部、１００  撮像装置、３００，４００  触感発生部、
３０１，４０１  表面フィルム、３０２  アクチュエータ、４０２  流体室、
３０３，４０３  タッチ検出部、３０６，４０６  凸釦部
【図１（ａ）】
2019074578.tif 000003
【図１（ｂ）】
2019074578.tif 000004
【図２】
2019074578.tif 000005
【図３】
2019074578.tif 000006
【図４（ａ）】
2019074578.tif 000007
【図４（ｂ）】
2019074578.tif 000008
【図５（ａ）】
2019074578.tif 000009
【図５（ｂ）】
2019074578.tif 000010
【図６】
2019074578.tif 000011
【図７】
2019074578.tif 000012